(57)【要約】【課題】バッテリモジュールにおいて、エンドプレートのセル積層方向の変位を許容してセル厚拘束反力を緩和しつつ、エンドプレートの幅方向の移動を規制可能な技術を提供する。【解決手段】前後方向に複数のセル２１を積層して構成され、前面、後面、左面、右面、上面、及び下面を有するセル積層体２と、該セル積層体２の前面及び後面に配置される一対のエンドプレート３と、該一対のエンドプレート３を連結するフレーム４と、を備えるバッテリモジュール１であって、フレーム４は、セル積層体２の左面及び右面に配置される一対のサイドフレーム５Ｌ、５Ｒと、セル積層体２の下面に配置されるロアプレート６と、を備える。エンドプレート３には、底面に突出部３３が設けられ、ロアプレート６には、突出部３３を収容し、前後方向に延びる溝部６６が設けられている。【選択図】図４
2019075281.tif 000002
【特許請求の範囲】
【請求項１】
第１方向に複数のセルを積層して構成され、前記第１方向において一端側の面である第１面、前記第１方向において他端側の面である第２面、前記第１方向に直交する方向である第２方向において一端側の面である第３面、前記第２方向において他端側の面である第４面、前記第１方向及び前記第２方向に直交する第３方向において一端側の面である第５面、前記第３方向において他端側の面である第６面を有するセル積層体と、
該セル積層体の前記第１面及び前記第２面に配置される一対のエンドプレートと、
該一対のエンドプレートを連結するフレームと、を備えるバッテリモジュールであって、
前記フレームは、前記セル積層体の前記第３面及び前記第４面に配置される一対の連結フレームと、前記セル積層体の前記第６面に配置されるベースプレートと、を備え、
前記エンドプレートには、前記ベースプレートと対向する対向面に突出部が設けられ、
前記ベースプレートには、前記突出部を収容し、前記第１方向に延びる溝部が設けられている、バッテリモジュール。
【請求項２】
請求項１に記載のバッテリモジュールであって、
前記一対の連結フレームは、それぞれ前記ベースプレートの、前記セル積層体を搭載する搭載面とは反対側の締結面に沿って互いに近づく方向に延びる第１フランジ部と、前記セル積層体の前記第５面に沿って互いに近づく方向に延びる第２フランジ部と、を有し、
前記第１フランジ部には、前記ベースプレートの前記締結面に設けられる留部に留められる被留部が設けられている、バッテリモジュール。
【請求項３】
請求項２に記載のバッテリモジュールであって、
前記留部は、前記第１方向において前記ベースプレートの前記締結面の略中央に設けられている、バッテリモジュール。
【請求項４】
第１方向に複数のセルを積層して構成され、前記第１方向において一端側の面である第１面、前記第１方向において他端側の面である第２面、前記第１方向に直交する方向である第２方向において一端側の面である第３面、前記第２方向において他端側の面である第４面、前記第１方向及び前記第２方向に直交する第３方向において一端側の面である第５面、前記第３方向において他端側の面である第６面を有するセル積層体と、
該セル積層体の前記第１面及び前記第２面に配置される一対のエンドプレートと、
該一対のエンドプレートを連結するフレームと、を備えるバッテリモジュールであって、
前記フレームは、前記セル積層体の前記第３面及び前記第４面に配置される一対の連結フレームと、前記セル積層体の前記第６面に配置されるベースプレートと、を備え、
前記一対の連結フレームは、それぞれ前記ベースプレートの、前記セル積層体を搭載する搭載面とは反対側の締結面に沿って互いに近づく方向に延びる第１フランジ部と、前記セル積層体の前記第５面に沿って互いに近づく方向に延びる第２フランジ部と、を有し、
前記第１フランジ部は、前記ベースプレートの前記締結面に設けられる第１留部に留められる第１被留部と、前記ベースプレートの前記締結面に設けられる第２留部に留められる第２被留部と、を有し、
前記第１被留部は、前記第１留部に対し前記第１方向に移動不能に留められ、
前記第２被留部は、前記第２留部に対し前記第１方向に移動可能に留められる、バッテリモジュール。
【請求項５】
請求項４に記載のバッテリモジュールであって、
前記第１留部は、前記第１方向において前記ベースプレートの略中央に設けられ、
前記第２留部は、前記第１方向において前記ベースプレートの端部側に設けられる、バッテリモジュール。
【請求項６】
請求項４に記載のバッテリモジュールであって、
前記第１留部は、前記第１方向において前記ベースプレートの端部側に設けられ、
前記第２留部は、前記第１方向において前記ベースプレートの略中央に設けられる、バッテリモジュール。
【請求項７】
請求項２〜６のいずれか１項に記載のバッテリモジュールであって、
前記第２フランジ部は、前記セル積層体を前記第１フランジ部に向かって付勢する、バッテリモジュール。
【請求項８】
請求項１〜７のいずれか１項に記載のバッテリモジュールであって、
前記ベースプレートは、
前記セル積層体の前記第６面に沿って延びるベースプレート本体と、
前記第２方向における該ベースプレート本体の両端部に、前記セル積層体を搭載する搭載面から前記セル積層体の前記第３面及び前記第４面に沿って突出し、且つ前記第１方向に沿って延びる一対のガイド部と、を有する、バッテリモジュール。
【請求項９】
請求項１〜８のいずれか１項に記載のバッテリモジュールであって、
前記ベースプレートは、
前記セル積層体の前記第６面に沿って延びるベースプレート本体と、
前記ベースプレート本体の、前記セル積層体を搭載する搭載面とは反対側の締結面に設けられ、前記第１方向に延びる凸部又は凹部からなる一対のフレーム係合部を有し、
前記一対の連結フレームは、それぞれ前記第１方向に延びる凹部又は凸部からなり、前記フレーム係合部に係合するプレート係合部を有する、バッテリモジュール。
【発明の詳細な説明】
【技術分野】
【０００１】
本発明は、電動車両などに搭載されるバッテリモジュールに関する。
【背景技術】
【０００２】
従来より電動車両などにはバッテリモジュールが搭載されている。例えば、特許文献１には、セル積層体と、該セル積層体の積層方向両端部に配置される一対のエンドプレートと、該一対のエンドプレートを連結する一対のラダーフレームと、を備えるバッテリモジュールが開示されている。
【０００３】
この種のバッテリモジュールでは、温度変化や経年劣化によるセルの膨張に起因してバッテリモジュールのセル積層方向の荷重（以下、適宜セル厚拘束反力という。）が発生する。近年、セルの高容量化や高エネルギー密度化に伴い、セル内により多くの活物質を詰め込む方向にあるため、上記のセル厚拘束反力が増加傾向となっている。
【先行技術文献】
【特許文献】
【０００４】
【特許文献１】特開２０１２−２５６４６６号公報
【発明の概要】
【発明が解決しようとする課題】
【０００５】
しかしながら、特許文献１のバッテリモジュールでは、一対のエンドプレートをラダーフレームで強固に連結しているので、セル厚拘束反力を緩和することは困難であった。
【０００６】
本発明は、バッテリモジュールにおいて、エンドプレートのセル積層方向の変位を許容してセル厚拘束反力を緩和可能な技術を提供する。
【課題を解決するための手段】
【０００７】
本発明の一態様は、
第１方向に複数のセルを積層して構成され、前記第１方向において一端側の面である第１面、前記第１方向において他端側の面である第２面、前記第１方向に直交する方向である第２方向において一端側の面である第３面、前記第２方向において他端側の面である第４面、前記第１方向及び前記第２方向に直交する第３方向において一端側の面である第５面、前記第３方向において他端側の面である第６面を有するセル積層体と、
該セル積層体の前記第１面及び前記第２面に配置される一対のエンドプレートと、
該一対のエンドプレートを連結するフレームと、を備えるバッテリモジュールであって、
前記フレームは、前記セル積層体の前記第３面及び前記第４面に配置される一対の連結フレームと、前記セル積層体の前記第６面に配置されるベースプレートと、を備え、
前記エンドプレートには、前記ベースプレートと対向する対向面に突出部が設けられ、
前記ベースプレートには、前記突出部を収容し、前記第１方向に延びる溝部が設けられている。
【発明の効果】
【０００８】
上記態様によれば、エンドプレートの突出部の第１方向への移動がベースプレートの溝部により許容される、即ち、エンドプレートのセル積層方向の変位が許容されるので、セル積層体のセル厚拘束反力を緩和できる。
【図面の簡単な説明】
【０００９】
【図１】本発明の第１実施形態に係るバッテリモジュールを斜め上方から見た斜視図である。
【図２】図１のバッテリモジュールを斜め下方から見た斜視図である。
【図３】図１のバッテリモジュールの分解斜視図である。
【図４】図１のバッテリモジュールの正面図である。
【図５】図１のバッテリモジュールのエンドプレートを斜め下方から見た斜視図である。
【図６】本発明の第２実施形態に係るバッテリモジュールを斜め上方から見た斜視図である。
【図７】図６のバッテリモジュールを斜め下方から見た斜視図である。
【図８】図６のバッテリモジュールの分解斜視図である。
【図９】図６のバッテリモジュールのロアプレートを斜め上方から見た斜視図である。
【図１０】図７のＡ−Ａ断面図である。
【図１１】図７のＢ−Ｂ断面図である。
【発明を実施するための形態】
【００１０】
以下、本発明のバッテリモジュールの各実施形態を、添付図面に基づいて説明する。なお、図面は符号の向きに見るものとする。
【００１１】
［第１実施形態］
先ず、本発明の第１実施形態のバッテリモジュールについて図１〜図５を参照しながら説明する。
【００１２】
［バッテリモジュール］
図１に示すように、本実施形態に係るバッテリモジュール１は、前後方向に複数のセル２１を積層して構成され、前面、後面、左面、右面、上面、及び下面を有するセル積層体２と、セル積層体２の前面及び後面に配置される一対のエンドプレート３と、一対のエンドプレート３を連結するフレーム４と、を備える。フレーム４は、セル積層体２の右面に配置される右サイドフレーム５Ｒと、セル積層体２の左面に配置される左サイドフレーム５Ｌと、セル積層体２の下面に配置されるロアプレート６と、を備える。
【００１３】
なお、本明細書等では説明を簡単且つ明確にするためにセル２１の積層方向を前後方向と定義し、セル２１の積層方向に直交する方向を左右方向及び上下方向と定義したものであり、バッテリモジュール１が搭載される製品の前後方向等とは無関係である。即ち、バッテリモジュール１が車両に搭載される場合、セル２１の積層方向は、車両の前後方向に一致してもよく、車両の上下方向、左右方向であってもよく、これらの方向から傾斜した方向であってもよい。図面には、バッテリモジュール１の前方をＦｒ、後方をＲｒ、左側をＬ、右側をＲ、上方をＵ、下方をＤ、として示す。
【００１４】
（セル積層体）
図１〜図３に示すように、セル積層体２は、複数のセル２１と複数の第１絶縁部材２２を前後方向に交互に積層して構成される。セル積層体２の前面及び後面には、それぞれ第２絶縁部材２３を介した絶縁状態で一対のエンドプレート３が配置され、セル積層体２の下面には、第３絶縁部材２４を介した絶縁状態でロアプレート６が配置される。また、セル積層体２の左面及び右面には、それぞれ僅かな隙間を介した絶縁状態で右サイドフレーム５Ｒ及び左サイドフレーム５Ｌが配置される。セル積層体２の上面には、左端部及び右端部に一対の第４絶縁部材２５が配置される。なお、第３絶縁部材２４は、前後方向において、エンドプレート３とオーバーラップしない位置に配置される。
【００１５】
セル２１は、温度変化や経年劣化によって膨張することが知られている。セル２１は、前後方向の長さよりも上下方向の長さが長く、上下方向の長さよりも左右方向の長さが長い直方体形状を有する。そのため、セル２１は前面及び後面の面積が、左面、右面、上面及び下面の面積よりもはるかに大きく、セル２１の前面及び後面で、その左右方向中央部及び上下方向中央部が膨張しやすい。
【００１６】
セル積層体２の上面には、セル２１の端子２１ａに電気的に接続される複数のバスバーが配置される。バスバーには、セル２１の端子２１ａ同士を接続するためのバスバー（図示せず）や、セル２１の端子２１ａを外部接続用端子２７に接続するためのバスバー２６が含まれる。
【００１７】
（エンドプレート）
図１〜図５に示すように、一対のエンドプレート３は、それぞれ第２絶縁部材２３を介してセル積層体２の前面及び後面に当接し、セル積層体２のセル積層方向の荷重（上記したようにセル厚拘束反力ともいう。）を受け止める。セル積層体２のセル積層方向の荷重は、主に温度変化や経年劣化によるセル２１の膨張に起因するものであり、上述したように、セル２１の前面及び後面では、その左右方向中央部及び上下方向中央部が膨張しやすいため、エンドプレート３の左右方向中央部及び上下方向中央部に大きな荷重が入力される。
【００１８】
エンドプレート３は、図５に示すように、アルミ押出材を用いて形成されており、左右方向において中央領域に形成される中央エンドプレート部３１と、左右方向において中央エンドプレート部３１を挟むように形成される左エンドプレート部３２Ｌ及び右エンドプレート部３２Ｒと、を有する。上述したように、セル積層体２からセル積層方向の大きな荷重を受ける中央エンドプレート部３１は、その前後方向の幅が左エンドプレート部３２Ｌ及び右エンドプレート部３２Ｒの前後方向の幅よりも大きくなっている。従って、エンドプレート３は、セル積層体２と当接する内方の面が平坦であるのに対し、セル積層体２と当接しない外方の面は、中央エンドプレート部３１が外方に膨出した形状となっている。
【００１９】
左エンドプレート部３２Ｌ及び右エンドプレート部３２Ｒの外側の面には、左サイドフレーム５Ｌ又は右サイドフレーム５ＲとボルトＢ１を介して締結される複数の締結部３２ａが設けられる。また、ロアプレート６の上面と対向（当接）する左エンドプレート部３２Ｌの下面及び右エンドプレート部３２Ｒの下面には、それぞれ、ロアプレート６と係合する突出部３３が設けられる。なお、本実施形態のエンドプレート３は、２つの突出部３３を下面の左右両端側に備えるが、突出部３３の数は、１つ又は３つ以上であってもよく、また、突出部３３を設ける位置は、エンドプレート３の下面の左右方向中央側であってもよい。
【００２０】
また、エンドプレート３の上面には、バッテリモジュール１と外部の電気機器との間で電力を授受するための外部接続用端子２７が設けられる。エンドプレート３がその幅方向（左右方向）に位置ずれした場合、セル２１の端子２１ａとバスバー２６との間に応力が発生し、接続不良が生じる虞がある。従って、エンドプレート３の幅方向の移動は、可及的に抑制することが望ましい。
【００２１】
（サイドフレーム）
図１〜図４に示すように、左サイドフレーム５Ｌ及び右サイドフレーム５Ｒは、金属板材をプレス加工して形成されており、セル積層体２の左面又は右面に沿うサイドフレーム本体５１と、サイドフレーム本体５１の前端から前側のエンドプレート３の前面に沿って互いに近づく方向に延びる前フランジ部５２Ｆと、サイドフレーム本体５１の後端から後側のエンドプレート３の後面に沿って互いに近づく方向に延びる後フランジ部５２Ｒと、サイドフレーム本体５１の上端からセル積層体２の上面に沿って互いに近づく方向に延びる上フランジ部５３と、サイドフレーム本体５１の下端からセル積層体２（ロアプレート６）の下面に沿って互いに近づく方向に延びる下フランジ部５４と、を備える。
【００２２】
前フランジ部５２Ｆ及び後フランジ部５２Ｒには、前側のエンドプレート３又は後側のエンドプレート３にボルトＢ１を介して締結される複数の締結部５２ａが設けられる。締結部５２ａは、ボルトＢ１が挿通される丸孔を有し、該丸孔に挿通したボルトＢ１を前側のエンドプレート３又は後側のエンドプレート３の締結部３２ａにねじ込むことで、前フランジ部５２Ｆ及び後フランジ部５２Ｒが前側のエンドプレート３又は後側のエンドプレート３に締結される。これにより、一対のエンドプレート３は、左サイドフレーム５Ｌ及び右サイドフレーム５Ｒを介して連結される。
【００２３】
左サイドフレーム５Ｌ及び右サイドフレーム５Ｒは、セル積層体２のセル積層方向の荷重が増加した場合、エンドプレート３同士の前後方向の相対変位を許容する。例えば、サイドフレーム本体５１の前後方向の変形、サイドフレーム本体５１と前フランジ部５２Ｆとの角度変化、サイドフレーム本体５１と後フランジ部５２Ｒとの角度変化等によってエンドプレート３同士の前後方向の相対変位が許容される。
【００２４】
上フランジ部５３と下フランジ部５４は、セル積層体２の左端部及び右端部において第４絶縁部材２５、セル積層体２及びロアプレート６を上下方向から挟持している。これにより、セル積層体２、第４絶縁部材２５、左サイドフレーム５Ｌ、右サイドフレーム５Ｒ及びロアプレート６の上下方向の相対位置変動が抑制されるとともに、セル積層体２を構成する複数のセル２１を整列させることができる。
【００２５】
上フランジ部５３は、弾性を有しており、上下方向の弾性変形が許容される。これにより、右サイドフレーム５Ｒ及び左サイドフレーム５Ｌをセル積層体２及びロアプレート６に対し左右方向から取り付ける際、上フランジ部５３が弾性変形することで取り付けが容易になるとともに、上フランジ部５３と下フランジ部５４との間でセル積層体２を弾性的に挟み込み、耐振性を向上させることができる。
【００２６】
本実施形態の上フランジ部５３は、前後方向に並ぶ複数の弾性片５３ａにより構成されており、弾性片５３ａの個数及び位置は、前後方向に積層されるセル２１の個数及び位置に対応している。これにより、上フランジ部５３は、適度な弾性を有しつつ、複数のセル２１を個別に弾性保持できる。
【００２７】
なお、本実施形態の右サイドフレーム５Ｒ及び左サイドフレーム５Ｌでは、上フランジ部５３がサイドフレーム本体５１と一体にプレス成形されているが、上フランジ部５３をサイドフレーム本体５１と別体でプレス成形した後、溶接やカシメによってサイドフレーム本体５１と一体化してもよい。
【００２８】
下フランジ部５４には、ロアプレート６に設けられたピンＰ１に圧入固定される被留部５４ａ（図３参照）と、下フランジ部５４の基端側上面部において前後方向に延びる凹部からなり、ロアプレート６と係合するプレート係合部５４ｃ（図４参照）と、が設けられる。被留部５４ａは、下フランジ部５４の前後方向中央部に設けられる。
【００２９】
右サイドフレーム５Ｒの下フランジ部５４に設けられる被留部５４ａは、左方向に開口する切欠部であり、左サイドフレーム５Ｌの下フランジ部５４に設けられる被留部５４ａは、右方向に開口する切欠部である。これにより、右サイドフレーム５Ｒ及び左サイドフレーム５Ｌを左右方向から装着することができる。
【００３０】
（ロアプレート）
図１〜図４に示すように、ロアプレート６は、アルミ押出材を用いて形成されており、セル積層体２及びエンドプレート３の下面に沿って延びるロアプレート本体６１と、バッテリモジュール１を支持するモジュール支持構造体（図示せず）に固定される複数の固定部６２と、ロアプレート本体６１の左右両端部から上方に突出し、且つ前後方向に沿って延びるガイド部６３と、ロアプレート本体６１の下面左右中央部に凹設される温調デバイス収容部６４と、左サイドフレーム５Ｌ及び右サイドフレーム５Ｒのプレート係合部５４ｃと係合するフレーム係合部６５と、エンドプレート３の突出部３３を収容する溝部６６と、ピンＰ１を介して下フランジ部５４の被留部５４ａが留められる留部６７と、を備える。
【００３１】
固定部６２は、図６に示すように、平面視長方形であるロアプレート本体６１の四隅に設けられ、ボルト等の固定具を介してモジュール支持構造体に固定される。このようなバッテリモジュール１の固定構造によれば、ロアプレート６がモジュール支持構造体に固定されるので、温度変化や経年劣化によるセル２１の膨張に起因してセル圧拘束反力が増加し、それに伴ってエンドプレート３が前後方向に移動しても、モジュール支持構造体への応力伝達を回避できる。
【００３２】
本実施形態では、前側のエンドプレート３の前方及び後側のエンドプレート３の後方にロアプレート６の固定部６２を配置するにあたり、中央エンドプレート部３１に比べて前後方向の幅が小さい左エンドプレート部３２Ｌ及び右エンドプレート部３２Ｒと左右方向においてオーバーラップする位置にロアプレート６の固定部６２を配置している。これにより、固定部６２を設けるためのロアプレート６の長さを短くでき、バッテリモジュール１の前後方向の長さを短くできる。
【００３３】
ガイド部６３は、セル積層体２の左面及び右面に沿うように、ロアプレート本体６１の左右両端部から上方に突出し、且つ前後方向に沿って延びる。これにより、セル積層体２の左右方向のずれがガイド部６３により規制されるので、耐振性を向上させることができる。
【００３４】
ロアプレート本体６１は、アルミ押出材を用いて形成され、且つセル積層体２の下面と近接して配置されることにより、セル積層体２の熱を伝熱して放熱する放熱部材としても機能している。また、本実施形態のロアプレート本体６１は、下面に温調デバイス収容部６４が凹設されているので、バッテリモジュール１の上下寸法を抑制しつつ、ロアプレート本体６１の下方に温調デバイス（図示せず）を配置し、セル積層体２の温度を制御することができる。
【００３５】
フレーム係合部６５は、ロアプレート本体６１の下面左右両端部において前後方向に延びる凸部からなり、左サイドフレーム５Ｌ及び右サイドフレーム５Ｒの下フランジ部５４に形成されるプレート係合部５４ｃと係合する。これにより、左サイドフレーム５Ｌ及び右サイドフレーム５Ｒのロアプレート６に対する左右方向の移動が規制される。
【００３６】
溝部６６は、ロアプレート本体６１の上面左右両端部において前後方向に延びる凹溝からなり、エンドプレート３の下面に設けられる突出部３３を収容することで、ロアプレート６に対するエンドプレート３の前後方向の変位を許容しつつ、ロアプレート６に対するエンドプレート３の左右方向の変位を規制する。これにより、エンドプレート３のセル積層方向の変位を許容してセル厚拘束反力を緩和しつつ、エンドプレート３の幅方向の移動を抑制し、端子２１ａとバスバー２６との接続不良等を防止できる。
【００３７】
留部６７は、ロアプレート６の左右両端部において前後方向中央部に設けられる。留部６７には、左サイドフレーム５Ｌ及び右サイドフレーム５Ｒの被留部５４ａが前後方向に移動不能となるように圧入される。これにより、左サイドフレーム５Ｌ及び右サイドフレーム５Ｒの前後方向両端側、並びにエンドプレート３のセル積層方向の変位を許容しつつ、一対のエンドプレート３の変位量を平均化することが可能になる。
【００３８】
［第２実施形態］
続いて、本発明の第２実施形態のバッテリモジュール１Ａについて図６〜図１１を参照しながら説明する。なお、以下の説明において、第１実施形態のバッテリモジュール１と同一の構成要素については同一の符号を付して説明を省略又は簡略化する。第１実施形態のバッテリモジュール１では、セル厚拘束反力を緩和するため、ロアプレート６とエンドプレート３とによりエンドプレート３のセル積層方向の変位を許容したが、第２実施形態のバッテリモジュール１Ａでは、一対のエンドプレート３を連結する左サイドフレーム５Ｌ及び右サイドフレーム５Ｒとロアプレート６とによりエンドプレート３のセル積層方向の変位を許容する。以下、第１実施形態のバッテリモジュール１と第２実施形態のバッテリモジュール１Ａとの相違点について詳細に説明する。
【００３９】
［バッテリモジュール］
図６に示すように、本実施形態に係るバッテリモジュール１Ａは、セル積層体２と、一対のエンドプレート３と、一対のエンドプレート３を連結するフレーム４と、を備える。フレーム４は、セル積層体２の右面に配置される右サイドフレーム５Ｒと、セル積層体２の左面に配置される左サイドフレーム５Ｌと、セル積層体２の下面に配置されるロアプレート６と、を備える。
【００４０】
（サイドフレーム）
右サイドフレーム５Ｒ及び左サイドフレーム５Ｌの下フランジ部５４には、ロアプレート６にボルトＢ２を介して留められる複数の被留部５４ｂａ、５４ｂｂ（図８参照）と、下フランジ部５４の基端側上面部において前後方向に延びる凹部からなり、ロアプレート６と係合するプレート係合部５４ｃ（不図示）と、が設けられる。複数の被留部５４ｂａ、５４ｂｂには、下フランジ部５４の前後方向中央部に設けられる第１被留部５４ｂａと、下フランジ部５４の前後方向両端側に設けられる第２被留部５４ｂｂと、が含まれる。
【００４１】
右サイドフレーム５Ｒの下フランジ部５４に設けられる被留部５４ｂａ、５４ｂｂは、左方向に開口する切欠部であり、左サイドフレーム５Ｌの下フランジ部５４に設けられる被留部５４ｂａ、５４ｂｂは、右方向に開口する切欠部である。これにより、ボルトＢ２をロアプレート６に仮止めした状態で右サイドフレーム５Ｒ及び左サイドフレーム５Ｌを左右方向から装着することができる。
【００４２】
（ロアプレート）
図８及び図９に示すように、ロアプレート６は、アルミ押出材を用いて形成されており、セル積層体２及びエンドプレート３の下面に沿って延びるロアプレート本体６１と、バッテリモジュール１を支持するモジュール支持構造体（図示せず）に固定される複数の固定部６２と、ロアプレート本体６１の左右両端部から上方に突出し、且つ前後方向に沿って延びるガイド部６３と、ロアプレート本体６１の下面左右中央部に凹設される温調デバイス収容部６４と、左サイドフレーム５Ｌ及び右サイドフレーム５Ｒのプレート係合部５４ｃと係合するフレーム係合部６５と、ボルトＢ２を介して下フランジ部５４の被留部５４ｂａ、５４ｂｂが留められる複数の留部６８、６９と、を備える。
【００４３】
複数の留部６８、６９には、ロアプレート６の左右両端部において前後方向中央部に設けられる第１留部６８と、ロアプレート６の左右両端部において前後方向両端側に設けられる第２留部６９と、が含まれる。第１留部６８には、左サイドフレーム５Ｌ及び右サイドフレーム５Ｒの第１被留部５４ｂａが前後方向に移動不能となるように留められ、第２留部６９には、左サイドフレーム５Ｌ及び右サイドフレーム５Ｒの第２被留部５４ｂｂが前後方向に移動可能となるように留められる。これにより、左サイドフレーム５Ｌ及び右サイドフレーム５Ｒの前後方向両端側、並びにエンドプレート３のセル積層方向の変位を許容しつつ、一対のエンドプレート３の変位量を平均化することが可能になる。
【００４４】
図１０及び図１１に示すように、本実施形態の第１留部６８及び第２留部６９は、ロアプレート本体６１を上下方向に貫通し、上側が非円形孔で、且つ下側が非円形孔よりも小径な円形孔からなる貫通孔６８ａ、６９ａと、貫通孔６８ａ、６９ａに上側から回転不能に挿入されるカラーＣ２と、カラーＣ２に下側からねじ込まれるボルトＢ２と、を備える。第１留部６８の貫通孔６８ａは、その内寸がカラーＣ２の外寸と略同じであり、カラーＣ２の前後方向の移動を規制している。一方、第２留部６９の貫通孔６９ａは、その内寸が前後方向においてカラーＣ２の外寸よりも大きくなっており、貫通孔６９ａの内周とカラーＣ２の外周との間には、前後方向の移動を許容する隙間Ｓが形成されている。これにより、第１留部６８は、左サイドフレーム５Ｌ及び右サイドフレーム５Ｒの第１被留部５４ｂａを前後方向移動不能に留めることができ、また、第２留部６９は、左サイドフレーム５Ｌ及び右サイドフレーム５Ｒの第２被留部５４ｂｂを前後方向移動可能に留めることができる。
【００４５】
第２留部６９は、左サイドフレーム５Ｌ及び右サイドフレーム５Ｒの第２被留部５４ｂｂを前後方向移動可能に留めることができるので、エンドプレート３の前後方向への移動に伴って左サイドフレーム５Ｌ及び右サイドフレーム５Ｒが移動する際に下フランジ部５４の第２被留部５４ｂｂの前後方向への移動が許容される、即ち、エンドプレート３のセル積層方向の変位が許容されるので、セル積層体２のセル厚拘束反力を緩和できる。
【００４６】
なお、前述した実施形態は、適宜、変形、改良、等が可能である。例えば、第２実施形態では、第１被留部５４ｂａが、第１留部６８に対し前後方向に移動不能に留められ、第２被留部５４ｂｂが、第２留部６９に対し前後方向に移動可能に留められるが、第１被留部５４ｂａが、第１留部６８に対し前後方向に移動可能に留められ、第２被留部５４ｂｂのうちの１つが、第２留部６９に対し前後方向に移動不能に留められるようにしてもよい。このようにすると、エンドプレート３のセル積層方向の変位を許容しつつ、一対のエンドプレート３の変位量を意識的に偏らせることができるので、例えば、一方のエンドプレート３にバスバーやワイヤーハーネスを集中的に配置する場合に、一方のエンドプレート３の変位量を抑制し、バスバーやワイヤーハーネスの接続不良を防止できる。
【００４７】
また、前述した実施形態では、プレート係合部５４ｃを凹部、フレーム係合部６５を凸部としたが、プレート係合部５４ｃを凸部、フレーム係合部６５を凹部としてもよい。
【００４８】
［総括］
前述した実施形態からは、少なくとも以下の態様が抽出される。なお、括弧内には、上記した実施形態において対応する構成要素等を示しているが、これに限定されるものではない。
【００４９】
（１）  第１方向（前後方向）に複数のセル（セル２１）を積層して構成され、前記第１方向において一端側の面である第１面（前面）、前記第１方向において他端側の面である第２面（後面）、前記第１方向に直交する方向である第２方向（左右方向）において一端側の面である第３面（左面）、前記第２方向において他端側の面である第４面（右面）、前記第１方向及び前記第２方向に直交する第３方向（上下方向）において一端側の面である第５面（上面）、前記第３方向において他端側の面である第６面（下面）を有するセル積層体（セル積層体２）と、
該セル積層体の前記第１面及び前記第２面に配置される一対のエンドプレート（エンドプレート３）と、
該一対のエンドプレートを連結するフレーム（フレーム４）と、を備えるバッテリモジュール（バッテリモジュール１）であって、
前記フレームは、前記セル積層体の前記第３面及び前記第４面に配置される一対の連結フレーム（左サイドフレーム５Ｌ、右サイドフレーム５Ｒ）と、前記セル積層体の前記第６面に配置されるベースプレート（ロアプレート６）と、を備え、
前記エンドプレートには、前記ベースプレートと対向する対向面に突出部（突出部３３）が設けられ、
前記ベースプレートには、前記突出部を収容し、前記第１方向に延びる溝部（溝部６６）が設けられている、バッテリモジュール。
【００５０】
（１）によれば、エンドプレートの突出部の第１方向への移動がベースプレートの溝部により許容される、即ち、エンドプレートのセル積層方向の変位が許容されるので、セル積層体のセル厚拘束反力を緩和できる。一方、エンドプレートの突出部の第２方向への移動がベースプレートの溝部により規制されるので、エンドプレートの第２方向、即ちエンドプレートのセル積層方向と直交する方向への移動を抑制できる。
【００５１】
（２）  （１）に記載のバッテリモジュールであって、
前記一対の連結フレームは、それぞれ前記ベースプレートの、前記セル積層体を搭載する搭載面とは反対側の締結面に沿って互いに近づく方向に延びる第１フランジ部（下フランジ部５４）と、前記セル積層体の前記第５面に沿って互いに近づく方向に延びる第２フランジ部（上フランジ部５３）と、を有し、
前記第１フランジ部には、前記ベースプレートの前記締結面に設けられる留部（留部６７）に留められる被留部（被留部５４ａ）が設けられている、バッテリモジュール。
【００５２】
（２）によれば、留部及び被留部を介してベースプレートと連結フレームとを連結させつつ、連結フレームの第１フランジ部及び第２フランジ部によってセル積層体を挟み込み、セル群を整列させることができる。
【００５３】
（３）  （２）に記載のバッテリモジュールであって、
前記留部は、前記第１方向において前記ベースプレートの前記締結面の略中央に設けられている、バッテリモジュール。
【００５４】
（３）によれば、留部は、第１方向においてベースプレートの締結面の略中央に設けられているので、連結フレームを介して連結される一対のエンドプレートの変位量を平均化できる。
【００５５】
（４）  第１方向（前後方向）に複数のセル（セル２１）を積層して構成され、前記第１方向において一端側の面である第１面（前面）、前記第１方向において他端側の面である第２面（後面）、前記第１方向に直交する方向である第２方向（左右方向）において一端側の面である第３面（左面）、前記第２方向において他端側の面である第４面（右面）、前記第１方向及び前記第２方向に直交する第３方向（上下方向）において一端側の面である第５面（上面）、前記第３方向において他端側の面である第６面（下面）を有するセル積層体（セル積層体２）と、
該セル積層体の前記第１面及び前記第２面に配置される一対のエンドプレート（エンドプレート３）と、
該一対のエンドプレートを連結するフレーム（フレーム４）と、を備えるバッテリモジュール（バッテリモジュール１）であって、
前記フレームは、前記セル積層体の前記第３面及び前記第４面に配置される一対の連結フレーム（左サイドフレーム５Ｌ、右サイドフレーム５Ｒ）と、前記セル積層体の前記第６面に配置されるベースプレート（ロアプレート６）と、を備え、
前記一対の連結フレームは、それぞれ前記ベースプレートの、前記セル積層体を搭載する搭載面とは反対側の締結面に沿って互いに近づく方向に延びる第１フランジ部（下フランジ部５４）と、前記セル積層体の前記第５面に沿って互いに近づく方向に延びる第２フランジ部（上フランジ部５３）と、を有し、
前記第１フランジ部は、前記ベースプレートの前記締結面に設けられる第１留部（第１留部６８）に留められる第１被留部（第１被留部５４ｂａ）と、前記ベースプレートの前記締結面に設けられる第２留部（第２留部６９）に留められる第２被留部（第２被留部５４ｂｂ）と、を有し、
前記第１被留部は、前記第１留部に対し前記第１方向に移動不能に留められ、
前記第２被留部は、前記第２留部に対し前記第１方向に移動可能に留められる、バッテリモジュール。
【００５６】
（４）によれば、エンドプレートの第１方向への移動に伴って連結フレームが移動する際に第１フランジ部の第２被留部の第１方向への移動が許容される、即ち、エンドプレートのセル積層方向の変位が許容されるので、セル積層体のセル厚拘束反力を緩和できる。      
【００５７】
（５）  （４）に記載のバッテリモジュールであって、
前記第１留部は、前記第１方向において前記ベースプレートの略中央に設けられ、
前記第２留部は、前記第１方向において前記ベースプレートの端部側に設けられる、バッテリモジュール。
【００５８】
（５）によれば、第１留部は、第１方向においてベースプレートの略中央に設けられているので、連結フレームを介して連結される一対のエンドプレートの変位量を平均化できる。
【００５９】
（６）  （４）に記載のバッテリモジュールであって、
前記第１留部は、前記第１方向において前記ベースプレートの端部側に設けられ、
前記第２留部は、前記第１方向において前記ベースプレートの略中央に設けられる、バッテリモジュール。
【００６０】
（６）によれば、第１留部は、第１方向においてベースプレートの端部側に設けられているので、一対のエンドプレートの変位量を意識的に偏らせることができる。
【００６１】
（７）  （２）〜（６）のいずれかに記載のバッテリモジュールであって、
前記第２フランジ部は、前記セル積層体を前記第１フランジ部に向かって付勢する、バッテリモジュール。
【００６２】
（７）によれば、連結フレームの第２フランジ部は、セル積層体を第１フランジ部に向かって付勢するので、連結フレームの第１フランジ部と第２フランジ部との間でセル積層体を弾性的に挟み込み、耐震性を向上させることができる。
【００６３】
（８）  （１）〜（７）のいずれかに記載のバッテリモジュールであって、
前記ベースプレートは、
前記セル積層体の前記第６面に沿って延びるベースプレート本体（ロアプレート本体６１）と、
前記第２方向における該ベースプレート本体の両端部に、前記セル積層体を搭載する搭載面から前記セル積層体の前記第３面及び前記第４面に沿って突出し、且つ前記第１方向に沿って延びる一対のガイド部（ガイド部６３）と、を有する、バッテリモジュール。
【００６４】
（８）によれば、ベースプレートは、セル積層体の第６面に沿って延びるベースプレート本体と、第２方向におけるベースプレート本体の両端部に、セル積層体を搭載する搭載面からセル積層体の第３面及び第４面に沿って突出し、且つ第１方向に沿って延びる一対のガイド部と、を有するので、ガイド部によってセルの幅方向の移動を抑制し、耐振性を向上させることができる。
【００６５】
（９）  （１）〜（８）のいずれかに記載のバッテリモジュールであって、
前記ベースプレートは、
前記セル積層体の前記第６面に沿って延びるベースプレート本体（ロアプレート本体６１）と、
前記ベースプレート本体の、前記セル積層体を搭載する搭載面とは反対側の締結面に設けられ、前記第１方向に延びる凸部又は凹部からなる一対のフレーム係合部（フレーム係合部６５）を有し、
前記一対の連結フレームは、それぞれ前記第１方向に延びる凹部又は凸部からなり、前記フレーム係合部に係合するプレート係合部（プレート係合部５４ｃ）を有する、バッテリモジュール。
【００６６】
（９）によれば、ベースプレートは、第１方向に延びる凸部又は凹部からなる一対のフレーム係合部を有し、一対の連結フレームは、それぞれ第１方向に延びる凹部又は凸部からなり、フレーム係合部に係合するプレート係合部を有するので、連結フレームのベースプレートに対するセル幅方向の移動を抑制し、耐振性を向上させることができる。
【符号の説明】
【００６７】
１、１Ａ  バッテリモジュール
２  セル積層体
２１  セル
３  エンドプレート
３３  突出部
４  フレーム
５Ｌ  左サイドフレーム（連結フレーム）
５Ｒ  右サイドフレーム（連結フレーム）
５３  上フランジ部（第２フランジ部）
５４  下フランジ部（第１フランジ部）
５４ａ  被留部
５４ｂａ  第１被留部
５４ｂｂ  第２被留部
５４ｃ  プレート係合部
６  ロアプレート（ベースプレート）
６１  ロアプレート本体（ベースプレート本体）
６３  ガイド部
６５  フレーム係合部
６６  溝部
６７  留部
６８  第１留部
６９  第２留部
【図１】
2019075281.tif 000003
【図２】
2019075281.tif 000004
【図３】
2019075281.tif 000005
【図４】
2019075281.tif 000006
【図５】
2019075281.tif 000007
【図６】
2019075281.tif 000008
【図７】
2019075281.tif 000009
【図８】
2019075281.tif 000010
【図９】
2019075281.tif 000011
【図１０】
2019075281.tif 000012
【図１１】
2019075281.tif 000013